(57)【要約】【課題】連結部材等を使用することなく、簡単な操作で、しかも天板に対して脚体を強固に連結することができる天板付き家具を提供すること。【解決手段】受支面４ｆを切欠凹部１１の下面６ｅに当接させた状態において、所定の操作部９を操作することにより、移動手段６ａ，７によって天板２に対して天板受具４が天板２の内側に移動して係合片１０ｂが被係合部１１ｃに係合され、脚体３が天板２に連結される。【選択図】図７
2010094188.tif 000002
【特許請求の範囲】
【請求項１】
天板と、該天板の下面を受支する天板受具が上部に設けられた脚体と、を備える天板付き家具であって、
前記天板の外側面の所定箇所に形成され、外側方に開口する被係合部と、
前記天板受具に設けられ、前記天板の下面を下方から受支する受支面と、
前記受支面の外側端部から起立する起立片及び該起立片の先端から内側に向けて突設される係合片からなる略Ｌ字形の係合部と、
所定の操作部を操作することにより前記天板の下面に対して前記天板受具を相対移動させる移動手段と、
を備え、
前記受支面を前記天板の下面に当接させた状態において、前記所定の操作部を操作することにより、前記移動手段によって前記天板に対して前記天板受具が該天板の内側に移動して前記係合片が前記被係合部に係合され、前記脚体が前記天板に連結されることを特徴とする天板付き家具。
【請求項２】
前記移動手段は、
前記天板の下面に形成された下向孔と、
前記天板受具に設けられ、前記下向孔に嵌合可能なカム部と、
前記カム部を枢支する上下方向を向く枢軸と、
を有し、
前記受支面を前記天板の下面に当接させ、前記カム部が前記下向孔内に嵌合された状態において前記所定の操作部を操作することにより、前記カム部が前記下向孔内で回動され、前記天板に対して前記天板受具が該天板の内側に移動することを特徴とする請求項１に記載の天板付き家具。
【請求項３】
前記脚体は、方形状に形成された天板の下面角部に連結されるとともに、該天板の下面角部近傍に前記下向孔が設けられ、
前記天板受具は、前記天板の角部を挟んで隣り合う一対の直線辺部に対応する一対の直線状部を有し、該一対の直線状部それぞれに前記係合部が設けられていることを特徴とする請求項２に記載の天板付き家具。
【請求項４】
前記天板の下面における外周縁部の所定箇所には、前記天板受具が嵌合可能な切欠凹部が形成され、前記切欠凹部の下面には、前記起立片が嵌合される切欠溝が前記天板の外周縁部に沿って延設されるとともに、該切欠溝の側面に前記被係合部が形成されていることを特徴とする請求項１ないし３のいずれかに記載の天板付き家具。
【請求項５】
前記切欠凹部の下面が、前記天板とは別個に形成された支持板の下面にて構成され、該支持板の外側面は、前記天板の外側面よりも内側で、前記切欠溝の側面よりも外側に配置されていることを特徴とする請求項４に記載の天板付き家具。
【発明の詳細な説明】
【技術分野】
【０００１】
本発明は、天板と、該天板の下面を受支する天板受具が上部に設けられた脚体と、を備える天板付き家具に関する。
【背景技術】
【０００２】
従来、この種のテーブルにおいて、家庭や小規模オフィス等にて使用されるものにあっては、天板と脚体との組付作業を使用者が行うケースが多いが、例えばボルト等の連結部材による締め付け作業等が不慣れな使用者の場合、例えば締め付け強度が不十分のまま使用されてしまうと、使用中に脚体が外れる虞があるため危険であるという問題があった。
【０００３】
そこで、ボルト等の連結部材等を使用することなく、天板に脚体を連結することができるようにしたものとして、例えば天板の下面に、脚体の上端に突設した係合ボルトを嵌挿可能な被係合穴を設けるとともに、該被係合穴内に嵌挿された係合ボルトに対応する受穴を有する締め付け固定板を設け、被係合穴に係合ボルトを嵌挿した状態でレバー操作により該締め付け固定板を回転させ、被係合穴に嵌挿された係合ボルトの頭部が係合されることで、天板下面に脚体が固定されるようにしたものがある（例えば、特許文献１参照）。
【０００４】
また、天板下面に形成された被係合部としての被係合溝に挿通可能な係合ピンが、脚体の上端に回動自在に設けた円盤上に突設され、前記係合ピンを被係合溝に挿通した状態でレバー操作により円盤を回転させ、係合ピンの頭部が被係合溝に係合されることで、天板下面に脚体が連結されるものがある（例えば、特許文献２参照）。
【０００５】
【特許文献１】特開平４−２２８９０８号公報（第１−３図）
【特許文献２】特許登録第２８８５１２８号公報（第１，２図）
【発明の開示】
【発明が解決しようとする課題】
【０００６】
しかしながら、上記特許文献１及び２に記載の連結装置にあっては、天板に対して脚体を連結するための係合部（例えば特許文献２の係合ピン）または被係合部（例えば特許文献１の被係合穴）のうち一方を回動自在に支持する回動機構に、係合部と被係合部とにかかる負荷が直接伝達されるため、回動機構が破損しやすいという問題があった。
【０００７】
本発明は、このような問題点に着目してなされたもので、連結部材等を使用することなく、簡単な操作で、しかも天板に対して脚体を強固に連結することができる天板付き家具を提供することを目的とする。
【課題を解決するための手段】
【０００８】
前記課題を解決するために、本発明の請求項１に記載の天板付き家具は、
天板と、該天板の下面を受支する天板受具が上部に設けられた脚体と、を備える天板付き家具であって、
前記天板の外側面の所定箇所に形成され、外側方に開口する被係合部と、
前記天板受具に設けられ、前記天板の下面を下方から受支する受支面と、
前記受支面の外側端部から起立する起立片及び該起立片の先端から内側に向けて突設される係合片からなる略Ｌ字形の係合部と、
所定の操作部を操作することにより前記天板の下面に対して前記天板受具を相対移動させる移動手段と、
を備え、
前記受支面を前記天板の下面に当接させた状態において、前記所定の操作部を操作することにより、前記移動手段によって前記天板に対して前記天板受具が該天板の内側に移動して前記係合片が前記被係合部に係合され、前記脚体が前記天板に連結されることを特徴としている。
この特徴によれば、天板受具の一部が天板の外側面よりも外側に張り出すように受支面を天板の下面に当接させた状態で所定の操作部を操作することにより、天板受具が天板の内側に向けてスライド移動し、これにより係合部が天板の外側方から被係合部に係合されるため、ボルト等の固着部を使用することなく、天板受具の受支面を天板の下面に当接して所定の操作部を操作するだけで、脚体を天板に容易に連結することができる。
【０００９】
本発明の請求項２に記載の天板付き家具は、請求項１に記載の天板付き家具であって、
前記移動手段は、
前記天板の下面に形成された下向孔と、
前記天板受具に設けられ、前記下向孔に嵌合可能なカム部と、
前記カム部を枢支する上下方向を向く枢軸と、
を有し、
前記受支面を前記天板の下面に当接させ、前記カム部が前記下向孔内に嵌合された状態において前記所定の操作部を操作することにより、前記カム部が前記下向孔内で回動され、前記天板に対して前記天板受具が該天板の内側に移動することを特徴としている。
この特徴によれば、カム部を下向孔に嵌合した状態で操作部を操作することにより、カム部が下向孔の内壁にガイドされた状態で回動し、下向孔内において枢軸が移動することで、該枢軸が設けられた天板受具が天板に対して水平方向に相対移動して係合部が被係合部に係合される。
【００１０】
本発明の請求項３に記載の天板付き家具は、請求項２に記載の天板付き家具であって、
前記脚体は、方形状に形成された天板の下面角部に連結されるとともに、該天板の下面角部近傍に前記下向孔が設けられ、
前記天板受具は、前記天板の角部を挟んで隣り合う一対の直線辺部に対応する一対の直線状部を有し、該一対の直線状部それぞれに前記係合部が設けられていることを特徴としている。
この特徴によれば、角部を挟んで隣り合う一対の直線辺部に係合部が設けられることにより、天板に対する脚体の保持力が向上する。
【００１１】
本発明の請求項４に記載の天板付き家具は、請求項１ないし３のいずれかに記載の天板付き家具であって、
前記天板の下面における外周縁部の所定箇所には、前記天板受具が嵌合可能な切欠凹部が形成され、前記切欠凹部の下面には、前記起立片が嵌合される切欠溝が前記天板の外周縁部に沿って延設されるとともに、該切欠溝の側面に前記被係合部が形成されていることを特徴としている。
この特徴によれば、天板の下面に切欠凹部が形成されていることで、天板に対する脚体の取付位置を容易に決定できるとともに、天板受具を天板の内側に向けてスライド移動させることによって、係合部の被係合部への係合と起立片の切欠溝への嵌合を同時に行うことができる。
【００１２】
本発明の請求項５に記載の天板付き家具は、請求項４に記載の天板付き家具であって、
前記切欠凹部の下面が、前記天板とは別個に形成された支持板の下面にて構成され、該支持板の外側面は、前記天板の外側面よりも内側で、前記切欠溝の側面よりも外側に配置されていることを特徴としている。
この特徴によれば、支持板と切欠溝の下面との間に、溝状の被係合部を容易に形成することができる。
【発明を実施するための最良の形態】
【００１３】
本発明に係る天板付き家具を実施するための最良の形態を実施例に基づいて以下に説明する。
【実施例】
【００１４】
本発明の実施例を図面に基づいて説明すると、先ず図１は、本発明の実施例における机の全体像を示す斜視図であり、図２（ａ）は、天板と脚体との連結部を示す分解斜視図であり、図２（ｂ）は、天板と脚体との連結部を示す斜視図であり、図３（ａ）は、図２（ｂ）におけるＡ−Ａ断面図であり、図３（ｂ）は、図２（ｂ）におけるＢ−Ｂ断面図であり、図３（ｃ）は、図３（ａ）におけるＣ−Ｃ断面図であり、図４（ａ）は、天板の下面角部を示す斜視図であり、図４（ｂ）は、図４（ａ）におけるＤ−Ｄ断面図であり、図５（ａ）は、カム部が下向孔に嵌合している状態を示す平面図及びカム部のＧ−Ｇ端面図であり、図５（ｂ）は、カム部が下向孔内で回動する状態を示す平面図及びカム部のＨ−Ｈ端面図であり、図５（ｃ）は、天板受具が天板に取り付けられた状態を示す平面図及びカム部のＩ−Ｉ端面図であり、図６は、図５（ａ）におけるＥ−Ｅ断面図であり、図７は、図５（ｃ）におけるＦ−Ｆ断面図である。
【００１５】
図１の符号１は、例えば、個人で組立を行い使用する、本発明の適用された天板付き家具としての机である。この机１は、図１に示すように、長方形状の天板２と、天板２の下面四隅を支持する４本の脚体３とを備えている。脚体３の上部には、金属材から成る天板受具４が取り付けられており、これら脚体３は天板受具４を介して天板２を下方から支持している。
【００１６】
図２（ａ）に示すように、脚体３は上下方向に長い角柱である。これら脚体３の上端部には、上方に開口する嵌合凹部３ａが凹設されているとともに、更に、嵌合凹部３ａの底面中央には、上下方向に螺着孔３ｂが穿設されている。
【００１７】
天板受具４は、平面視扇形（図５（ａ）参照）に形成された板状部材からなり、その角部４ａは、内角９０度を成している。角部４ａの下部には、脚体３の嵌合凹部３ａに嵌合する嵌合突部４ｂが設けられている。また、角部４ａには、上下方向に連通する貫通孔４ｃが穿設されている。この貫通孔４ｃには、嵌合凹部３ａと嵌合突部４ｂが嵌合した状態で螺着螺子４ｄが螺着孔３ｂまで挿通されるようになっており、螺着螺子４ｄを螺着することによって、図２（ｂ）に示すように、脚体３の上部に天板受具４が取り付けられる。
【００１８】
天板受具４の上面側には、板状の操作板５が配置されている。この操作板５は、後述する支持板６に形成されている下向孔６ａに嵌合可能な弾性を有する合成樹脂材から成るカム部７と、図３（ａ）及び図３（ｃ）に示すように、このカム部７から水平方向に延設される板状の操作片８の端部に設けられている操作部９とで構成されている。カム部７は、天板受具４上で水平方向に回動可能なように、上下方向を向く枢軸１２によって軸支されている。そして、操作部９は、操作片８の端部から下方に向けて突設しており、机１を組み立てる使用者等が把持することによって、カム部７の回動を操作可能となっている。
【００１９】
天板受具４における角部４を挟んで隣り合う２辺は、図５（ａ）に示すように、天板受具４の外側端部である一対の直線状部４ｅとして形成されており、これら直線状部４ｅには、天板２に対して天板受具４を係合させるための係合部１０が設けられている。
【００２０】
具体的には、図３（ａ）〜（ｃ）に示すように、２つの直線状部４ｅからは、上方に向かって起立片１０ａが立設されている。そして、起立片１０ａの上端部からは、天板受具４の内側方に向けて各２条ずつ、係合片１０ｂが延設されている。これら係合片１０ｂの下面は、先端部から外側方である起立片１０ａ側に向かって下方に傾斜するテーパー面１０ｃとして形成されている。
【００２１】
このため、これら起立片１０ａと係合片１０ｂとは、縦断面視略Ｌ字形を成し、各直線状部４ｅの全長に亘って延設されており、前述した係合部１０を構成している。尚、図２（ａ）に示すように、起立片１０ａの上面は、天板受具４の角部４ａの上面と面一となる平坦面に形成されている。
【００２２】
天板受具４の上面４ｆは平坦状に形成され、図２（ａ）及び図２（ｂ）に示すように、天板２の下面２ａを受支する本発明における受支面を構成しており、この上面４ｆには、平面視扇形に形成された操作凹部４ｇが凹設されている。この操作凹部４ｇは、天板受具４と同様に内角９０度を成す扇形に形成されており、操作凹部４ｇの角部側には、円柱状の枢支突部４ｈが上方に向かって突設されているとともに、枢支突部４ｈの上面中心には、上下方向を向く挿通孔４ｉが穿設されている。
【００２３】
尚、枢支突部４ｈの上下高さ寸法は、図３（ａ）に示すように、操作凹部４ｇの上下高さ寸法よりも短く形成されている。更に、枢支突部４ｈ及び貫通孔４ｃは、特に図示しないが、操作凹部４ｇ及び天板受具４を内角４５度の扇形に２分割する中心線上に配置されている。
【００２４】
操作凹部４ｇの外周端縁部には、図３（ａ）及び図５（ａ）に示すように、操作凹部４ｇの周方向全長に亘って上下に連通する操作溝４ｊが形成されている。また、操作凹部４ｇの底面の周方向略中央には、底面から上方に向けて突設された平面視円弧状の突条４ｋが、操作凹部４ｇの周方向に延設されており、この突条４ｋ上に操作片８が乗り上がるようになっている。
【００２５】
操作凹部４ｇ内には、図３（ａ）及び図５（ａ）に示すように、操作板５が配置され、操作板５に設けられているカム部７は、枢支突部４ｈ上に配置される。カム部７は、長辺７ａと、一対の等辺と、からなる略三角柱形状に形成されており、一対の短辺で挟まれている内角側には、上下方向に連通する枢支孔７ｂが穿設され、この枢支孔７ｂを介して挿通孔４ｉに枢軸１２が枢着されている。
【００２６】
操作部９は、図３（ａ）及び図３（ｃ）に示すように、カム部７が枢支突部４ｈ上に配置されたことによって、操作溝４ｊ内に配置されている。操作部９の上下長さ寸法は、天板受具４の下面よりも下方に突出しない長さ寸法に形成されている。
【００２７】
このため、操作溝４ｊから操作部９を操作することで直接カム部７に回動力を伝達することができるばかりか、カム部７を小さい回動力によって回動させることができる。尚、操作片８の上面には、カム部７から操作部９に向けて、２条の摺接片８ａが上方に向けて突設されている。
【００２８】
カム部７の回動角度は、操作片８が当接する操作凹部４ｇの内側面によって約９０度に規制されている。また、図３（ｂ）及び図６に示すように、カム部７を回動させる途中では、操作片８が突条４ｋに乗り上がることで、操作片８の上面に設けられた摺接片８ａが支持板６の下面６ｅに摺接し、操作板８の下面と突条４ｋとの間と、摺接片８と支持板６の下面６ｅとの間に摩擦が発生することにより、操作部９が不用意に回動しないようになっている。
【００２９】
一方、天板２の下面２ａの外周縁部である四隅の角部２ｂには、図４（ａ）に示すように、天板受具４が嵌合する切欠凹部１１が凹設されている。この切欠凹部１１は、天板２の外側方の２方向及び下方に向けて開放する凹部であり、その内部下面には、天板２とは別個に形成された金属製の支持板６が、複数のビスを介して取り付けられている。この支持板６は、切欠凹部１１に取り付けられることで、支持板６の下面が切欠凹部１１の下面６ｅを構成している。
【００３０】
この支持板６には、図２（ａ）に示すように、支持板６の上下方向に向けて連通する下向孔６ａが形成されている。この下向孔６ａは、図４（ａ）に示すように、支持板６が切欠凹部１１に取り付けられることで上方面側の開口が閉塞されるようになっており、切欠凹部１１の下面６ｅを構成する支持板６の下面から下方に向けて開口している。
【００３１】
切欠凹部１１は、図４（ａ）及び図４（ｂ）に示すように、天板受具４の一対の直線状部４ｅに対応する、天板２の角部２ｂを挟んで隣り合う一対の直線辺部としての天板２の外側面２ｃによって内角９０度をなす扇形に形成されている。また、切欠凹部１１の外側端部である天板２の角部２ｂの外周縁部には、天板受具４の起立片１０ａが嵌合される切欠溝１１ａが設けられている。
【００３２】
支持板６は、切欠凹部１１を僅かに縮小させた略扇形に形成されている。下向孔６ａは、天板２の内方を向く一対の短辺６ｂ及び一対の長辺６ｃとからなる略長方形状に形成されており、短辺６ｂの長さ寸法は、カム部７の長辺７ａよりも若干短寸に形成されている。
【００３３】
そして、支持板６の外側面６ｄは、天板２の外側面２ｃと切欠溝１１ａの側面１１ｂとの間に配置されている。このため、支持板６と切欠溝１１ａとの間に、支持板６と切欠溝１１ａとの全周に亘る長さを有し、天板２の外側方に開口する本発明における被係合部としての被係合溝１１ｃを容易に形成することができる。
【００３４】
このように切欠凹部１１を構成することで、天板受具４は、図５(ａ)及び図６に示すように、上面４ｆを切欠凹部１１の下面６ｅに当接されるとともに、下向孔６ａにカム部７を嵌合し、係合片１０ｂが被係合溝１１ｃに係合していない非係合状態から、操作部９を操作溝４ｊ内で移動させることで、カム部７は、その周面が下向孔６ａの内壁でガイドされた状態で回動（自転）する。このため、枢軸１２は、カム部７の回動によって天板２の内側に向かって水平に移動する。つまり、下向孔６ａとカム部７枢軸１２とは、天板受具４を天板２の内側方に向かって移動させるための、本実施例における移動手段を構成している。
【００３５】
このとき、枢軸１２の天板２の内側方に向かっての移動によって天板受具４が天板２の内側方に向かって天板２の下面２ａに対して水平に相対移動させられ、図５（ｃ）及び図７に示す係合片１０ｂが、テーパー面１０ｃによって支持板６に摺接しながら被係合溝１１ｃに係合することで、係合片１０ｂは上下方向から被係合溝１１ｃによって締め付けられ、天板受具４の上下方向のがたつきを抑えることができる。
【００３６】
尚、図５（ａ）に示すように、天板受具４が非係合状態である場合のカム部７を回動させる操作部９の操作溝４ｊでの位置を初期位置とし、図５（ｃ）に示すように、天板受具４が係合状態である場合の操作部９の操作溝４ｊでの位置を連結位置とする。
【００３７】
下向孔６ａ内に嵌合されたカム部７は、図５（ｂ）に示すように、カム部７の長辺７ａの長さ寸法が下向孔６ａの長辺６ｃよりも短寸に形成されているため、操作部９を初期位置から連結位置に移動させてカム部７を回動させる途中において、下向孔６ａの両長辺６ｃとカム部７の長辺７ａの両端とが摺接し、カム部７の回動に抵抗がかかるようになっている。
【００３８】
この下向孔６ａの両長辺６ｃとカム部７の長辺７ａの両端との摺接は、操作部９を連結位置から初期位置に向けて移動させて天板受具４を係合状態から非係合状態とする際にも発生するため、天板受具４が係合状態から、カム部７が逆回動して係合部１０と被係合溝１１ｃとの係合が解除されてしまうことが防止される。つまり、カム部７の長辺７ａと下向孔６ａの両長辺６ｃとは、カム部７の回動を規制するための、本発明における規制手段を構成している。
【００３９】
次に、天板２に対する脚体３の連結方法及び作用を説明すると、まず、図５（ａ）及び図６に示すように、天板２の下面２ａを上方に向くように裏返す。そして、天板受具４の上面４ｆを下向きにした状態で、該上面４ｆを切欠凹部１１の下面６ｅに当接させるとともに、下向孔６ａにカム部７を嵌合させ、天板受具４を天板２のやや外側方位置にセットして非係合状態とする。このとき、操作部９は初期位置に配置されており、枢軸１２は下向孔６ａにおける外側の長辺６ｃ寄りに位置している。
【００４０】
次いで、操作部９を初期位置から操作溝４ｊに沿って連結位置に向けて移動させると、図５（ｂ）に示すように、カム部７は、下向孔６ａの内壁により周囲がガイドされた状態で回転（自転）する。具体的には、カム部７の周面における長辺７ａの両端が下向孔６ａの両長辺６ｃと摺接しながら回動する。このとき、長辺７ａは下向孔６ａの短辺６ｂよりも若干長寸であることにより、カム部７の周面における長辺７ａの両端が僅かに内側に凹み（弾性変形する）、これにより回動に若干の抵抗が付与される。また、枢軸１２も天板２の内側に向けて移動を開始する。
【００４１】
また、このとき、操作板５は操作凹部４ｇの底面に配置された突条４ｋに乗り上がるとともに、操作片８の上面に設けられた２条の摺接片８ａは、切欠凹部１１の下面６ｅに当接している。このため、操作板５は上方と下方から抵抗を受けながら摺接移動する。更に、係合片１０ｂはテーパー面１０ｃを支持板６に摺接させながら被係合溝１１ｃに係合していくので、係合片１０ｂが非係合部１１ｃに係合していくにつれて支持板６と天板２とから係合片１０ｂにかかる摩擦力が増大していく。
【００４２】
そして、図５（ｃ）に示すように、操作部９が連結位置に到達すると、枢軸１２が内側の長辺６ｃ寄りまで移動され、天板受具４は係合片１０ｂの被係合溝１１ｃに係合する係合状態となり、天板受具４が切欠凹部１１に連結され、脚体３の天板２への取り付けが完了する。
【００４３】
このとき、下向孔６ａ内で約９０度回転したカム部７の周面の一部（長辺６ｃとの対向部）が下向孔６ａの内壁に当接してガイドされていることで、天板２に対する天板受具４の水平移動、すなわち、被係合溝１１ｃに対する係合片１０ｂの係合が解除される方向への水平移動が規制されることにより、被係合溝１１ｃと係合片１０ｂの係合との係合状態の解除が防止される。
【００４４】
さらに、被係合溝１１ｃが係合片１０ｂを締め付けることで生じている摩擦力と、操作部９が初期位置に戻ろうとする際にカム部７の長辺７ａの両端が下向孔６ａの両長辺６ｃに摺接することにより発生する摩擦力と、操作片８が突条４ｋに乗り上がることにより操作片８の上下で発生する摩擦力と、によりカム部７の逆回転が防止されるため、被係合溝１１ｃと係合片１０ｂの係合との係合状態が不用意に解除され、天板２から脚体３が離脱されることがない。
【００４５】
また、係合片１０ｂの被係合溝１１ｃへの係合と同時に起立片１０ａが切欠溝１１ａに嵌合され、天板２の角部２ｂにおいて、天板受具４の直線状部４ｅと天板２の外側面２ｃとが略面一となるため、天板２の側周面に天板受具４の一部が突出して外観体裁が損なわれることがない。
【００４６】
上述のように天板２の４箇所の角部２ｂに脚体３が取り付けられた机１は、天板２の上面が上方を向くように再び裏返され、図１に示すように、天板２を４本の脚体３によって下方から支持する状態とする。尚、このとき、天板受具４から下方に操作部９が突出していないので、操作部９が机１の使用者の足に当たるなどしてカム部７が不用意に逆回動し、天板受具４の係合状態が解除されることが防止されている。
【００４７】
以上説明したように、本発明の実施例としての机１では、天板受具４は、天板２に設けられた被係合溝１１ｃに係合可能な係合部１０と、下向孔６ａに嵌合可能なカム部７と、カム部７を枢支する上下方向を向く枢軸１２と、カム部７を枢軸１２周りに回動させるための操作部９と、を備え、下向孔６ａ内にカム部７を嵌合した状態で、操作部９によりカム部７を枢軸１２周りに回動することにより、天板２に対して天板受具４が水平方向に相対移動して係合部１０が被係合溝１１ｃに係合され、脚体３が天板２に保持されることで、カム部７を下向孔６ａに嵌合した状態で操作部９を操作することにより、カム部７が下向孔６ａの長辺６ｃ及び短辺６ｂにガイドされた状態で回動し、下向孔６ａ内において枢軸１２が移動することで、枢軸１２が設けられた天板受具４が天板２に対して水平方向に相対移動して係合部１０が被係合溝１１ｃに係合されるため、ボルト等の固着部を使用することなく、カム部７を下向孔６ａ内に嵌合して操作部９を操作するだけで、脚体３を天板２に容易に連結することができる。
【００４８】
また、係合部１０が形成された天板受具４を、カム部７の回動操作により切欠凹部１１の下面６ｅに対してスライドさせることにより係合部１０を被係合溝１１ｃに係合させることができるため、従来のように係合部１０自体を回動して係合させるものに比べて、係係合部１０や被係合溝１１ｃの剛性を高めることができ、また、回動させる必要があるカム部７そのものには大きな負荷が加わることがないので、天板２に対して脚体３を強固に連結することができる。
【００４９】
また、天板２の下面に切欠凹部１１が形成されていることで、天板２に対する脚体３の連結位置を容易に決定できるとともに、天板受具４の一部が天板２の外側面よりも外側に張り出すように受支面としての天板受具４の上面４ｆを切欠凹部１１の下面６ｅに当接させた状態で操作部９を操作することにより、天板受具４が天板２の内側に向けてスライド移動し、これにより係合部１０が天板２の外側方から被係合溝１１ｃに係合されるため、脚体３を天板２に容易に連結することができる。
【００５０】
つまり、係合片１０ｂが内向き水平方向に延設されていることで、係合片１０ｂが被係合溝１１ｃに係合した係合状態において、天板２に対する脚体３の離脱方向（下方）への移動が確実に規制され、水平方向への移動が移動手段としてのカム部７と下向孔６ａとの当接にて規制されるため、天板２に対して脚体３をがたつきなく連結することができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、前記実施例では、天板２の下面２ａの角部２ｂに切欠凹部１１を形成したが、切欠凹部を形成しなくても、天板の下面に天板受具を直接取り付けてもよいし、切欠凹部を形成する場所は天板２の下面２ａの外側面２ｃ側であってもよい。尚、この場合は、天板受具４は内角を成さずに形成されるため、係合部は天板２の外側面２ｃ側の外側端部から一方に向けて延設されるので、天板受具４の天板２の内側方の端部に更に係合部を設けるとともに、切欠凹部内にこの係合部を係合する被係合部を形成し、天板受具が天板２に安定して保持されるようにしてもよい。
【００５３】
また、前記実施例では、移動手段の一例として、天板受具４に回動自在に設けられたカム部７及び天板２側に形成した下向孔６ａにて構成されていたが、天板２に対して天板受具４を相対移動しうるものであれば、例えばラック及び操作部を有するピニオンギヤ等にて構成されていてもよい。
【００５４】
また、前記実施例では、天板付き家具を机１として説明したが、天板と該天板を下方から支持する脚体を有する家具であれば、例えば椅子や収納棚等であってもよい。
【００５５】
また、前記実施例では、天板２を長方形状に形成し、天板２の４隅である角部２ｂに脚体を天板受具４を介して取り付けたが、天板２の形状は四角形以外の多角形であってもよく、また、角部を有さない円形であってもよい。
【００５６】
また、前記実施例では、カム部７を長辺７ａと一対の等辺とからなる平面視略三角形状に形成したが、枢軸１２からカム部の周面までの距離が一定ではない偏心部材であれば、例えば、カム部７の形状を平面視円形の円柱とし、該円形の中心を避けてカム部を枢軸によって枢支するようにしてもよい。
【図面の簡単な説明】
【００５７】
【図１】実施例における机の全体像を示す斜視図である。
【図２】（ａ）は、天板と脚体との連結部を示す分解斜視図であり、（ｂ）は、天板と脚体との連結部を示す斜視図である。
【図３】（ａ）は、図２（ｂ）におけるＡ−Ａ断面図であり、（ｂ）は、図２（ｂ）におけるＢ−Ｂ断面図であり、（ｃ）は、図３（ａ）におけるＣ−Ｃ断面図である。
【図４】（ａ）は、天板の下面角部を示す斜視図であり（ｂ）は、図４（ａ）におけるＤ−Ｄ断面図である。
【図５】（ａ）は、カム部が下向孔に嵌合している状態を示す平面図及びカム部のＧ−Ｇ端面図であり、（ｂ）は、カム部が下向孔内で回動する状態を示す平面図及びカム部のＨ−Ｈ端面図であり、（ｃ）は、天板受具が天板に取り付けられた状態を示す平面図及びカム部のＩ−Ｉ端面図である。
【図６】図５（ａ）におけるＥ−Ｅ断面図である。
【図７】図５（ｃ）におけるＦ−Ｆ断面図である。
【符号の説明】
【００５８】
１                机（天板付き家具）
２                天板
２ｃ              外側面（直線辺部）
３                脚体
４                天板受具
４ｅ              直線状部
４ｆ              上面（受支面）
６                支持板
６ａ              下向孔（移動手段）
６ｃ              長辺（規制手段）
６ｅ              下面
７                カム部（移動手段）
７ａ              長辺（規制手段）
９                操作部
１０              係合部
１０ａ            起立片
１０ｂ            係合片
１１              切欠凹部
１１ａ            切欠溝
１１ｃ            被係合溝（被係合部）
１２              枢軸（移動手段）
【図１】
2010094188.tif 000003
【図２】
2010094188.tif 000004
【図３】
2010094188.tif 000005
【図４】
2010094188.tif 000006
【図５】
2010094188.tif 000007
【図６】
2010094188.tif 000008
【図７】
2010094188.tif 000009